【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
リズムパターンを供給するリズムパターン供給ステップと、
和音を示す和音情報を供給する和音情報供給ステップと、
和音毎に、いずれのフレットを使用するかをフレット番号によって弦毎に規定したボイシング展開用テーブルと、前記和音情報供給ステップによって供給された和音情報が示す和音とに応じて、弦毎にフレット番号を決定する第１の決定ステップと、
弦毎の基準音高情報を供給する基準音高情報供給ステップと、
前記第１の決定ステップによって決定されたフレット番号および前記基準音高情報供給ステップによって供給された基準音高情報に基づいて、弦毎に発音すべき発音音高を決定する第２の決定ステップと、
前記リズムパターン供給ステップによって供給されたリズムパターンの発音タイミング毎に弦別に発音の有無を指定する指定ステップと、
該指定ステップによって発音無しが指定された弦については、前記第２の決定ステップによって決定された発音音高の伴奏音情報を生成しない一方、該指定ステップによって発音有りが指定された弦については、前記第２の決定ステップによって決定された発音音高の伴奏音情報を生成する伴奏音情報生成ステップと、
該伴奏音情報生成ステップによって生成された伴奏音情報を、自動伴奏データとして登録する登録ステップと
を有する自動伴奏データ生成方法をコンピュータに実行させるためのプログラム。
【請求項２】
前記自動伴奏データ生成方法は、
前記自動伴奏データに含まれるある伴奏音情報の発音停止位置と該伴奏音情報の直後の伴奏音情報の発音開始位置との間に、所定時間以上の無発音区間が存在している場合に、前者の伴奏音情報に含まれる発音長を延長するか否かを設定する設定ステップと、
該設定ステップによって延長が設定されたときには、前記発音長が延長されるように、当該伴奏音情報の発音停止位置を変更する変更ステップと
をさらに有することを特徴とする請求項１に記載のプログラム。
【請求項３】
前記音名情報は、コード情報であることを特徴とする請求項１または２に記載のプログラム。
【請求項４】
リズムパターンを供給するリズムパターン供給手段と、
和音を示す和音情報を供給する和音情報供給手段と、
和音毎に、いずれのフレットを使用するかをフレット番号によって弦毎に規定したボイシング展開用テーブルを記憶した記憶手段と、
前記ボイシング展開用テーブルと、前記和音情報供給手段によって供給された和音情報が示す和音とに応じて、弦毎にフレット番号を決定する第１の決定手段と、
弦毎の基準音高情報を供給する基準音高情報供給手段と、
前記第１の決定手段によって決定されたフレット番号および前記基準音高情報供給手段によって供給された基準音高情報に基づいて、弦毎に発音すべき発音音高を決定する第２の決定手段と、
前記リズムパターン供給手段によって供給されたリズムパターンの発音タイミング毎に弦別に発音の有無を指定する指定手段と、
該指定手段によって発音無しが指定された弦については、前記第２の決定手段によって決定された発音音高の伴奏音情報を生成しない一方、該指定手段によって発音有りが指定された弦については、前記第２の決定手段によって決定された発音音高の伴奏音情報を生成する伴奏音情報生成手段と、
該伴奏音情報生成手段によって生成された伴奏音情報を、自動伴奏データとして登録する登録手段と
を有することを特徴とする自動伴奏データ生成装置。
【手続補正２】
【補正対象書類名】明細書
【補正対象項目名】０００４
【補正方法】変更
【補正の内容】
【０００４】
一方、伴奏スタイルに応じて自動伴奏データを生成する装置は、各種スタイル（ジャンル等）に応じた多種類の伴奏パターンを記憶しておき、ユーザの選択した伴奏スタイルに対応する伴奏パターンに基づいて、鍵盤等から検出した入力和音に合わせて自動伴奏データを生成するようにしている。伴奏パターンは、個々の伴奏音の音高に応じた音高データと、その発音タイミングを示すタイミングデータとをセットにしたもので、たとえば、Ｃｍａｊなどの所定和音に基づいたソースパターンとして用意されている。そして、入力和音の種類に応じてソースパターン内の音高を変換するとともに、全音高を入力和音の根音に応じてシフトし、和音に合った音高の伴奏音を生成するようにしている（たとえば、特許文献２参照）。
また、複数の操作子に異なる弦や異なる奏法を割り当てておき、指定されている和音に応じて各弦に対応する音高を決定し、操作された操作子に対応する弦あるいは奏法の演奏情報を発生させたり、各弦の音をどのタイミングで発生させるかを規定したカッティングやアルペジオ等のテンプレートを記憶しておき、指定されている和音に応じて各弦に対応する音高を決定し、テンプレートに従ったタイミングで各弦の演奏情報を発生させたりするようにしたものもある（たとえば、特許文献３参照）。
【特許文献１】特開２００１−０２２３５４号公報
【特許文献２】特許第３３１９３９０号公報
【特許文献３】特開２０００−６６６７７号公報
【手続補正３】
【補正対象書類名】明細書
【補正対象項目名】０００８
【補正方法】変更
【補正の内容】
【０００８】
上記目的を達成するため、請求項１に記載のプログラムは、リズムパターンを供給するリズムパターン供給ステップと、和音を示す和音情報を供給する和音情報供給ステップと、和音毎に、いずれのフレットを使用するかをフレット番号によって弦毎に規定したボイシング展開用テーブルと、前記和音情報供給ステップによって供給された和音情報が示す和音とに応じて、弦毎にフレット番号を決定する第１の決定ステップと、弦毎の基準音高情報を供給する基準音高情報供給ステップと、前記第１の決定ステップによって決定されたフレット番号および前記基準音高情報供給ステップによって供給された基準音高情報に基づいて、弦毎に発音すべき発音音高を決定する第２の決定ステップと、前記リズムパターン供給ステップによって供給されたリズムパターンの発音タイミング毎に弦別に発音の有無を指定する指定ステップと、該指定ステップによって発音無しが指定された弦については、前記第２の決定ステップによって決定された発音音高の伴奏音情報を生成しない一方、該指定ステップによって発音有りが指定された弦については、前記第２の決定ステップによって決定された発音音高の伴奏音情報を生成する伴奏音情報生成ステップと、該伴奏音情報生成ステップによって生成された伴奏音情報を、自動伴奏データとして登録する登録ステップとを有する自動伴奏データ生成方法をコンピュータに実行させるものであることを特徴とする。
【手続補正４】
【補正対象書類名】明細書
【補正対象項目名】０００９
【補正方法】変更
【補正の内容】
【０００９】
好ましくは、  前記自動伴奏データ生成方法は、前記自動伴奏データに含まれるある伴奏音情報の発音停止位置と該伴奏音情報の直後の伴奏音情報の発音開始位置との間に、所定時間以上の無発音区間が存在している場合に、前者の伴奏音情報に含まれる発音長を延長するか否かを設定する設定ステップと、該設定ステップによって延長が設定されたときには、前記発音長が延長されるように、当該伴奏音情報の発音停止位置を変更する変更ステップとをさらに有することを特徴とする。
【手続補正５】
【補正対象書類名】明細書
【補正対象項目名】００１２
【補正方法】変更
【補正の内容】
【００１２】
請求項１または４に記載の発明によれば、ボイシング展開用テーブルと供給された和音情報が示す和音とに応じて弦毎に決定されたフレット番号と、弦毎の基準音高情報と、リズムパターンの発音タイミング毎に発音するか否かを弦別に指定した内容とに基づいて伴奏音情報を生成し、該生成された伴奏音情報を自動伴奏データとして登録するようにしたので、弦楽器用の自動伴奏データを簡単に生成することができる。また、リズムパターンの発音タイミング毎に発音するか否かを弦別に指定した内容を変更することで、１つのリズムパターンから多様な自動伴奏データを生成することができる。
【手続補正６】
【補正対象書類名】明細書
【補正対象項目名】００５１
【補正方法】変更
【補正の内容】
【００５１】
３…ＣＰＵ（リズムパターン供給手段、和音情報供給手段、第１の決定手段、第２の決定手段、指定手段、伴奏音情報生成手段、登録手段），５…ＲＡＭ（リズムパターン供給手段、和音情報供給手段、記憶手段、登録手段），６…外部記憶装置（リズムパターン供給手段、和音情報供給手段、記憶手段）